(57)【要約】【課題】２つの筐体間を連結する連結部を、低周波数でありかつ広帯域である周波数帯の電波を受信するためのアンテナとして利用すること。【解決手段】携帯端末装置は、回路基板が設けられた筐体と、前記回路基板から給電されることで第１の周波数帯の電波を送受信するアンテナと、前記第１の周波数帯よりも低くかつ広い周波数帯である第２の周波数帯の電波を受信可能な所定の電気長を有するとともに、前記筐体と前記筐体と異なる他の筐体とを可動自在に連結し、前記回路基板から給電されることで、前記第２の周波数帯の電波を受信する導電性の連結部とを備えた。【選択図】図１
2011055240.tif 000002
【特許請求の範囲】
【請求項１】
回路基板が設けられた筐体と、
前記回路基板から給電されることで第１の周波数帯の電波を受信するアンテナと、
前記筐体と前記筐体と異なる他の筐体とを可動自在に連結するとともに、前記第１の周波数帯と異なる周波数帯である第２の周波数帯の電波を受信可能な所定の電気長を有し、前記回路基板から給電されることで前記第２の周波数帯の電波を受信する導電性の連結部と
を備えたことを特徴とする携帯端末装置。
【請求項２】
前記連結部は、
第１の軸を中心として前記筐体と前記他の筐体とを回動自在に連結する第１のヒンジ部と、前記第１の軸と直交する第２の軸を中心として前記筐体と前記他の筐体とを回動自在に連結する第２のヒンジ部とを備え、
前記第１のヒンジ部の長さと前記第２のヒンジ部の長さとを含む前記電気長を、前記第２の周波数帯の電波の１／４波長に設定したことを特徴とする請求項１に記載の携帯端末装置。
【請求項３】
前記回路基板に設けられ、前記連結部における前記第２の周波数帯の電波に対する受信特性が維持されるように、前記連結部に流れる電流の位相を調整する位相調整回路部をさらに備えたことを特徴とする請求項１又は２に記載の携帯端末装置。
【請求項４】
前記位相調整回路部は、前記連結部における前記第２の周波数帯の電波に対する受信特性が維持されるとともに、前記アンテナに流れる電流の位相と前記連結部に流れる電流の位相とが逆相とならないように、前記連結部に流れる電流の位相を調整することを特徴とする請求項３に記載の携帯端末装置。
【請求項５】
前記回路基板に設けられ、前記第１の周波数帯を遮断するとともに、前記第２の周波数帯を通過させる周波数遮断部をさらに備えたことを特徴とする請求項１〜４のいずれか一つに記載の携帯端末装置。
【発明の詳細な説明】
【技術分野】
【０００１】
本発明は、携帯端末装置に関する。
【背景技術】
【０００２】
近年、携帯電話機等の携帯端末装置は、通話機能やメール機能だけに留まらず、近距離無線通信機能やワンセグメント放送の視聴機能等を備えるようになり、ますます多機能化が進んでいる。このような多機能化に伴って、アンテナの数も増加する傾向にあり、このため、各アンテナの配置方式が種々検討されている。
【０００３】
例えば、２つの筐体がヒンジ部を介して可動自在に連結された折り畳み式の携帯端末装置において、通話用アンテナとワンセグメント放送の受信用のアンテナ（以下、「ワンセグ用アンテナ」という）とを異なる位置に配置したものが知られている。
【０００４】
図４は、通話用アンテナとワンセグ用アンテナとを異なる位置に配置した携帯端末装置の一例を示す図である。図４に示すように、第１の筐体１１１と第２の筐体１１２とがヒンジ部１１３を介して可動自在に連結された携帯端末装置１１０では、通話用アンテナとして、モノポールアンテナ１１４がヒンジ部１１３の近傍に配置されている。一方、ワンセグ用アンテナとして、伸縮自在なロッドアンテナ１１５が第２の筐体１１２の側面部に配置されている。
【０００５】
図５は、通話用アンテナとワンセグ用アンテナとを異なる位置に配置した携帯端末装置の他の例を示す図である。なお、図５では、図４と同一の部位には同一の符号を付して示している。図５に示す携帯端末装置１２０では、ワンセグ用のアンテナとして、内蔵アンテナ１２１が第２の筐体１１２におけるヒンジ部１１３と反対側の端部に配置されている。
【０００６】
ところで、図４及び図５に示した従来の携帯端末装置は、第２の筐体１１２の側面部や端部にワンセグ用アンテナを配置するためのスペースを別途確保している。このため、装置の小型化が阻害されるという問題がある。
【０００７】
そこで、このような問題を解消するために、２つの筐体を連結するヒンジ部を通話用以外の他の用途のアンテナとして利用した携帯端末装置が知られている。この従来の携帯端末装置では、ヒンジ部が導電性の材料により形成されている。そして、ヒンジ部が、筐体の内部に設けられた回路基板から給電されることで、ＧＰＳ（Global Positioning System）用の電波を受信するアンテナとして機能する。
【０００８】
かかる従来の携帯端末装置では、ヒンジ部自体をＧＰＳ用のアンテナとして利用するため、ヒンジ部により連結される一方の筐体にＧＰＳ用のアンテナを配置するためのスペースを別途用意する必要がない。したがって、装置の小型化を図ることができる。
【先行技術文献】
【特許文献】
【０００９】
【特許文献１】特開２００７−８８６９２号公報
【特許文献２】特開２００９−９４８５９号公報
【発明の概要】
【発明が解決しようとする課題】
【００１０】
しかしながら、上述した従来の携帯端末装置では、ヒンジ部をワンセグ用アンテナとして利用することができないという問題がある。
【００１１】
具体的には、従来の携帯端末装置では、ヒンジ部をＧＰＳ用のアンテナとして利用しているが、ＧＰＳ電波の周波数帯は約１５７５ＭＨｚ前後であり、これに対応するヒンジ部の電気長は２０〜３０ｍｍ程度である。一方、ワンセグ用の電波の周波数帯は、比較的に低周波かつ広帯域（約４００〜８００ＭＨｚ）であり、従来の携帯端末装置が備えたヒンジ部では、電気長が不足する。その結果、従来の携帯端末装置では、ヒンジ部をワンセグ用アンテナとして利用することができない。
【００１２】
開示の技術は、上記に鑑みてなされたものであって、２つの筐体間を連結する連結部を、低周波数でありかつ広帯域である周波数帯の電波を受信するためのアンテナとして利用することができる携帯端末装置を提供することを目的とする。
【課題を解決するための手段】
【００１３】
上述した課題を解決し、目的を達成するため、本願に開示する携帯端末装置は、回路基板が設けられた筐体と、前記回路基板から給電されることで第１の周波数帯の電波を送受信するアンテナと、前記第１の周波数帯と異なる周波数帯である第２の周波数帯の電波を受信可能な所定の電気長を有するとともに、前記筐体と前記筐体と異なる他の筐体とを可動自在に連結し、前記回路基板から給電されることで、前記第２の周波数帯の電波を受信する導電性の連結部とを備えた。
【発明の効果】
【００１４】
本願の開示する携帯端末装置の一つの態様によれば、２つの筐体間を連結する連結部を、低周波数でありかつ広帯域である周波数帯の電波を受信するためのアンテナとして利用することができるという効果を奏する。
【図面の簡単な説明】
【００１５】
【図１】図１は、本実施例に係る携帯電話機の外観斜視図である。
【図２】図２は、本実施例に係る携帯電話機が備えた連結部の周辺の構成を示す拡大斜視図である。
【図３】図３は、ワンセグ回路部の構成を示すブロック図である。
【図４】図４は、通話用アンテナとワンセグ用アンテナとを異なる位置に配置した携帯端末装置の一例を示す図である。
【図５】図５は、通話用アンテナとワンセグ用アンテナとを異なる位置に配置した携帯端末装置の他の例を示す図である。
【発明を実施するための形態】
【００１６】
以下に、本願の開示する携帯端末装置の実施例を図面に基づいて詳細に説明する。
【実施例】
【００１７】
本実施例は、本願の開示する携帯端末装置を折り畳み式の携帯電話機へ適用した例を示す。図１は、本実施例に係る携帯電話機の外観斜視図である。図２は、本実施例に係る携帯電話機が備えた連結部の周辺の構成を示す拡大斜視図である。
【００１８】
図１及び図２に示すように、携帯電話機１０は、表示部側の第１の筐体１１と、操作部側の第２の筐体１２とを有する。これら第１の筐体１１と第２の筐体１２とは、連結部１３により回動自在に連結されている。第１の筐体１１及び第２の筐体１２は、例えば、軽量で高強度のマグネシウム合金等の材料により箱形状に形成されている。連結部１３の近傍には、連結部１３の露出を防ぐための図示しない外装カバーが設けられている。なお、図１では、第１の筐体１１に対して第２の筐体１２を回動することによって、第１の筐体１１と第２の筐体１２とが重なり合った状態を示している。
【００１９】
第１の筐体１１には、回路基板１４、図示しないレシーバ、ＬＣＤ（Liquid Crystal Display）素子等で構成される表示部等が配設されている。一方、第２の筐体１２には、回路基板１５、図示しない操作キー、マイクロホン等が配設されている。
【００２０】
第２の筐体１２の回路基板１５には、図２に示すように、通話用の無線回路部１６、ワンセグメント放送用の無線回路であるワンセグ回路部１７とともに、図示しないプロセッサ、メモリ等による処理回路部等が配設されている。第１の筐体１１の回路基板１４と第２の筐体１２の回路基板１５とは、連結部１３を貫通する接続ケーブル１８により電気的に接続されている。
【００２１】
第２の筐体１２の連結部１３側の一端には、通話用のアンテナである通話用アンテナ１９が配設されている。通話用アンテナ１９は、回路基板１５に設けられた無線回路部１６にフレキシケーブル等の導電部材２０を介して接続されている。通話用アンテナ１９は、無線回路部１６から給電されることで、第１の周波数帯の電波を送受信する。無線回路部１６は、通話用アンテナ１９から入力される第１の周波数帯の受信信号に対して復調等の無線通話に必要な所定の処理を施す。
【００２２】
なお、第１の周波数帯としては、例えば、通話用の周波数帯である２ＧＨｚ帯等の比較的に高周波数かつ狭帯域である周波数帯が用いられる。
【００２３】
連結部１３は、金属等の導電性の材質により形成されたヒンジモジュールであり、第１の筐体１１と第２の筐体１２とを回動自在に連結する。また、連結部１３は、回路基板１５に設けられたワンセグ回路部１７に板金等の導電部材２１を介して接続されている。連結部１３は、第１の周波数帯よりも低くかつ広い第２の周波数帯の電波を受信可能な所定の電気長を有し、ワンセグ回路部１７から給電されることで、第２の周波数帯の電波を受信する。
【００２４】
なお、第１の周波数帯が通話用の２ＧＨｚ帯であるとすると、第２の周波数帯としては、例えば、ワンセグメント放送用の周波数帯である４００ＭＨｚ〜８００ＭＨｚ帯等の比較的に低周波数かつ広帯域である周波数帯が用いられる。
【００２５】
具体的には、連結部１３は、第１のヒンジ部２２と、第２のヒンジ部２３とを有する。第１のヒンジ部２２は、第１の軸２２ａを中心として第１の筐体１１と第２の筐体１２とを回動自在に連結する。第２のヒンジ部２３は、第１の軸２２ａと直交する第２の軸２３ａを中心として第１の筐体１１と第２の筐体１２とを回動自在に連結する。そして、連結部１３は、第１のヒンジ部２２の長さと第２のヒンジ部２３の長さとを含む当該連結部１３の合計の電気長を、第２の周波数帯の電波の１／４波長に設定している。これにより、連結部１３は、第２の周波数帯の電波との間で共振状態となるアンテナとして機能し、第２の周波数帯の電波を効率良く受信することができる。
【００２６】
ワンセグ回路部１７は、連結部１３に対する給電を行うとともに、連結部１３から入力される第２の周波数帯の受信信号に対して復調等のワンセグメント放送の受信に必要な所定の処理を施す。以下、ワンセグ回路部１７の具体的な構成を説明する。
【００２７】
図３は、ワンセグ回路部１７の構成を示すブロック図である。図３に示すように、ワンセグ回路部１７は、位相調整回路部２４と、周波数遮断部２５と、整合回路部２６と、ワンセグ回路本体部２７とを有する。
【００２８】
位相調整回路部２４は、連結部１３における第２の周波数帯の電波に対する受信特性が維持されるように、連結部１３に流れる電流の位相を調整する。さらに、位相調整回路部２４は、通話用アンテナ１９に流れる電流の位相と連結部１３に流れる電流の位相とが逆相以外の状態となるように、連結部１３に流れる電流の位相を調整する。
【００２９】
周波数遮断部２５は、例えば、ローパスフィルタ、ハイパスフィルタ、バンドパスフィルタにより構成されている。周波数遮断部２５は、通話用アンテナ１９により受信される第１の周波数帯を遮断するとともに、連結部１３により受信される第２の周波数帯を通過させる。
【００３０】
整合回路部２６は、連結部１３とワンセグ回路本体部２７との間で流れる電流を整流化するために、連結部１３のインピーダンスとワンセグ回路本体部２７の入力インピーダンスとを整合する。
【００３１】
ワンセグ回路本体部２７は、連結部１３に対する給電を行うとともに、連結部１３から入力される第２の周波数帯の受信信号を復調し、復調された信号を用いて第１の筐体１１に設けられた図示しない表示部に画像表示を行う。
【００３２】
上述してきたように、本実施例では、第１の筐体１１と第２の筐体１２とを連結する導電性の連結部１３が、通話用アンテナ１９により受信される電波の第１の周波数帯よりも低くかつ広い第２の周波数帯の電波を受信可能な所定の電気長を有する。そして、連結部１３が、第２の筐体１２に設けられた回路基板１５から給電されることで第２の周波数帯の電波を受信する。このため、本実施例によれば、ワンセグメント放送用の電波のように比較的に低周波数かつ広帯域である電波を受信するためのアンテナとして、筐体間を連結する連結部１３を利用することができる。
【００３３】
また、本実施例では、連結部１３が、第１のヒンジ部２２と第２のヒンジ部２３とを備え、第１のヒンジ部２２の長さと第２のヒンジ部２３の長さとを含む電気長を、第２の周波数帯の電波の１／４波長に設定している。このため、本実施例によれば、ワンセグメント放送用の電波のように比較的に低周波数かつ広帯域である電波を受信するための連結部１３の電気長を容易に確保することができる。
【００３４】
また、本実施例では、回路基板１５に設けられ、連結部１３における第２の周波数帯の電波に対する受信特性が維持されるように、連結部１３に流れる電流の位相を調整する位相調整回路部２４を備える。このため、本実施例によれば、連結部１３の可動に伴って連結部１３に流れる電流の位相が変動した場合であっても、ワンセグメント放送用の電波のように比較的に低周波数かつ広帯域である電波を安定的に受信することができる。
【００３５】
また、本実施例では、位相調整回路部２４が、さらに、通話用アンテナ１９に流れる電流の位相と連結部１３に流れる電流の位相とが逆相以外の状態となるように、連結部１３に流れる電流の位相を調整する。このため、本実施例によれば、通話用アンテナ１９に流れる電流と連結部１３に流れる電流とが互いに干渉し合う事態を回避することができ、その結果、通話用アンテナ１９と連結部１３の双方のアンテナ特性が劣化することを防ぐことができる。
【００３６】
また、本実施例では、回路基板１５に設けられ、通話用アンテナ１９により受信される第１の周波数帯を遮断するとともに、連結部１３により受信される第２の周波数帯を通過させる周波数遮断部２５を備える。このため、本実施例によれば、通話用アンテナ１９により受信される第１の周波数帯の電波の一部が連結部１３に捕捉される自体を回避することができ、その結果、通話用アンテナ１９と連結部１３の双方のアンテナ特性が劣化することをより一層防ぐことができる。
【００３７】
（他の実施例）
さて、これまで本発明の実施例について説明したが、本発明は上述した実施例以外にも、特許請求の範囲に記載した技術的思想の範囲内において、種々の異なる実施例にて実施することもできる。
【００３８】
すなわち、本実施例では、ヒンジモジュールによる折り畳み方式の携帯電話機へ本発明を適用した例を説明したが、図示したヒンジモジュールに限らず各種のヒンジモジュールによる折り畳み方式の携帯電話機へ本発明を適用することもできる。さらには、ヒンジモジュールによる折り畳み方式に限らず、本発明は、例えばスライド方式や平面回転方式の連結部によって固定側筐体に対して可動側筐体を可動自在とした携帯電話機にも同様に適用することができる。
【００３９】
また、本実施例では、携帯端末装置としての携帯電話機への適用例を説明したが、本発明は、これに限定されるものではない。例えば、本発明は、ＰＤＡ（Personal Digital Assistants）のような小型情報処理端末、小型音楽再生装置、携帯テレビ、携帯型ゲーム機等の他の各種携帯端末装置にも適用することができる。
【００４０】
以上の実施例を含む実施形態に関し、さらに以下の付記を開示する。
【００４１】
（付記１）回路基板が設けられた筐体と、
前記回路基板から給電されることで第１の周波数帯の電波を送受信するアンテナと、
前記筐体と前記筐体と異なる他の筐体とを可動自在に連結するとともに、前記第１の周波数帯よりも低くかつ広い周波数帯である第２の周波数帯の電波を受信可能な所定の電気長を有し、前記回路基板から給電されることで前記第２の周波数帯の電波を受信する導電性の連結部と
を備えたことを特徴とする携帯端末装置。
【００４２】
（付記２）前記連結部は、
第１の軸を中心として前記筐体と前記他の筐体とを回動自在に連結する第１のヒンジ部と、前記第１の軸と直交する第２の軸を中心として前記筐体と前記他の筐体とを回動自在に連結する第２のヒンジ部とを備え、
前記第１のヒンジ部の長さと前記第２のヒンジ部の長さとを含む前記電気長を、前記第２の周波数帯の電波の１／４波長に設定したことを特徴とする付記１に記載の携帯端末装置。
【００４３】
（付記３）前記回路基板に設けられ、前記連結部における前記第２の周波数帯の電波に対する受信特性が維持されるように、前記連結部に流れる電流の位相を調整する位相調整回路部をさらに備えたことを特徴とする付記１又は２に記載の携帯端末装置。
【００４４】
（付記４）前記位相調整回路部は、前記連結部における前記第２の周波数帯の電波に対する受信特性が維持されるとともに、前記アンテナに流れる電流の位相と前記連結部に流れる電流の位相とが逆相以外の状態となるように、前記連結部に流れる電流の位相を調整することを特徴とする付記３に記載の携帯端末装置。
【００４５】
（付記５）前記回路基板に設けられ、前記第１の周波数帯を遮断するとともに、前記第２の周波数帯を通過させる周波数遮断部をさらに備えたことを特徴とする付記１〜４のいずれか一つに記載の携帯端末装置。
【００４６】
（付記６）前記第１の周波数帯は、通話用の周波数帯であり、前記第２の周波数帯は、ワンセグメント放送用の周波数帯であることを特徴とする付記１〜５のいずれか一つに記載の携帯端末装置。
【符号の説明】
【００４７】
１０        携帯電話機
１１        第１の筐体
１２        第２の筐体
１３        連結部
１４        回路基板
１５        回路基板
１６        無線回路部
１７        ワンセグ回路部
１８        接続ケーブル
１９        通話用アンテナ
２０        導電部材
２１        導電部材
２２        第１のヒンジ部
２２ａ        第１の軸
２３        第２のヒンジ部
２３ａ        第２の軸
２４        位相調整回路部
２５        周波数遮断部
２６        整合回路部
２７        ワンセグ回路本体部
【図１】
2011055240.tif 000003
【図２】
2011055240.tif 000004
【図３】
2011055240.tif 000005
【図４】
2011055240.tif 000006
【図５】
2011055240.tif 000007